(57)【要約】      （修正有）【課題】使用する際に電源コードに邪魔されずネイルアートの施術効率を高めることができる充電式ネイルアート用削り装置を提供する。【解決手段】充電スタンド１０と削り器とを備え、充電スタンドは給電部１２と支持部１３とを有し、給電部は正極充電端子１２１と負極充電端子と第一電源入力ポートと第一制御ユニット１２４とを有し、削り器はハウジング２１と削り部材取付手段と駆動部材と充電電池と正極接触用板バネ２６と負極接触用板バネと第二制御ユニットとを有し、削り器は給電部及び支持部に当接されつつ傾斜するようにしており、正極接触用板バネは正極充電端子に接触されながら、負極接触用板バネは負極充電端子に接触されることで、第一電源入力ポート、第一制御ユニット、第二制御ユニット、及び充電電池は回路を形成する。【選択図】図３
0003223575.tif 000002
【実用新案登録請求の範囲】
【請求項１】
ベースと、前記ベースに設けられるとともに正極充電端子、負極充電端子、外部電源に電気的に接続されるための第一電源入力ポート、及び前記正極充電端子、前記負極充電端子、及び前記第一電源入力ポートに電気的に接続される第一制御ユニットとを有する給電部と、前記ベースに設けられるとともに前記給電部と間隔をあけており、高さが前記給電部の高さより高い支持部とを有する充電スタンドと、
ハウジングと、前記ハウジングの頂部に設けられるとともに削り部材が取り付けられるための削り部材取付手段と、前記ハウジングの内部に設けられるとともに前記削り部材を回転駆動させるための駆動部材と、前記ハウジングの内部に設けられる少なくとも一つの充電電池と、正極接触用板バネと、負極接触用板バネと、前記ハウジングの内部に設けられるとともに前記駆動部材、前記少なくとも一つの充電電池、前記正極接触用板バネ、及び前記負極接触用板バネに電気的に接続される第二制御ユニットとを有する削り器と、を備え、
前記削り器は、前記給電部及び前記支持部に当接されつつ傾斜するようにしており、前記正極接触用板バネは前記正極充電端子に接触されながら、前記負極接触用板バネは前記負極充電端子に接触されることで、前記第一電源入力ポート、前記第一制御ユニット、前記第二制御ユニット、及び前記少なくとも一つの充電電池は回路を形成する、
ことを特徴とする充電式ネイルアート用削り装置。
【請求項２】
前記給電部の頂部には凹溝があり、前記凹溝は前側斜面と後側斜面とを有し、前記正極充電端子と前記負極充電端子はともに前記前側斜面に設けられており、
前記削り器は台座を有し、前記台座は前記ハウジングの底部に設けられ、前記正極接触用板バネと前記負極接触用板バネはともに前記台座の底部に設けられており、
前記ハウジングは前記後側斜面に当接され、前記台座の底部は前記前側斜面に当接される、
ことを特徴とする請求項１に記載の充電式ネイルアート用削り装置。
【請求項３】
前記前側斜面には第一係止部があり、前記台座の底部には第二係止部があり、前記第一係止部は前記第二係止部に嵌合される、
ことを特徴とする請求項２に記載の充電式ネイルアート用削り装置。
【請求項４】
前記第一係止部と前記第二係止部のうちの一方は嵌合溝であり、他方は凸型ブロックである、
ことを特徴とする請求項３に記載の充電式ネイルアート用削り装置。
【請求項５】
前記第一係止部と前記第二係止部はともに弧形である、
ことを特徴とする請求項４に記載の充電式ネイルアート用削り装置。
【請求項６】
前記前側斜面には位置決め溝が凹設され、前記位置決め溝の形状及び寸法はそれぞれ前記台座の形状及び寸法に対応しており、前記正極充電端子、前記負極充電端子、及び前記第一係止部はともに前記位置決め溝内に設けられる、
ことを特徴とする請求項３に記載の充電式ネイルアート用削り装置。
【請求項７】
前記支持部には傾斜溝が凹設され、前記傾斜溝と前記後側斜面は同一の方向に傾斜しており、前記傾斜溝の傾斜度合いは前記後側斜面の傾斜度合いと同一であり、前記ハウジングは前記傾斜溝に当接される 、
ことを特徴とする請求項２に記載の充電式ネイルアート用削り装置。
【請求項８】
前記削り器は第二電源入力ポートを有し、前記第二電源入力ポートは、前記台座の底部に設けられており、前記第二制御ユニットに電気的に接続されるとともに外部電源に電気的に接続されるためのものである、
ことを特徴とする請求項２に記載の充電式ネイルアート用削り装置。
【請求項９】
前記支持部の両側にはそれぞれ複数の削り部材挿入溝が開設され、各前記削り部材挿入溝は削り部材が挿設されるためのものである、
ことを特徴とする請求項１に記載の充電式ネイルアート用削り装置。
【請求項１０】
前記給電部は少なくとも一つの電源出力ポートを有し、前記少なくとも一つの電源出力ポートは電子機器に電気的に接続されるためのものであり、前記第一制御ユニットは前記少なくとも一つの電源出力ポートに電気的に接続される、
ことを特徴とする請求項１に記載の充電式ネイルアート用削り装置。
【考案の詳細な説明】
【技術分野】
【０００１】
本考案は、ネイルアート用削り装置に関し、特に充電可能で手又は足の爪に付ける硬化後のジェルを削るための充電式ネイルアート用削り装置に関する。
【背景技術】
【０００２】
ネイルアートとは、手又は足の爪に装飾を施し美化することである。ネイルアートを行う際に、通常は手又は足の爪にジェルを塗布し、紫外線硬化装置による紫外線でジェルを照射することで、手又は足の爪にジェルが固定される。ジェルを硬化させた後、ネイリストはコード付き削り器を用いて手又は足の爪に付ける硬化後のジェルを削りつつ仕上げる。また、付け爪を外す際に、ネイリストはコード付き削り器を用いて手又は足の爪に付ける硬化後のジェルを削りつつ外すことで、新しい付け爪を作る。
【０００３】
コード付き削り器は、電源コードを離れる場所まで延ばせつつ電源コードのプラグを家庭用電のコンセントに差し込ませることで電力を得る。
【０００４】
しかしながら、ネイリストはコード付き削り器を把持してネイルアートの施術を行う際に、常に電源コードに邪魔され、ネイルアートの施術効率が低減してしまう。
【０００５】
また、歩く人がコード付き削り器の電源コードに引っかかってつまずいき、転ぶ危険が生じる可能性もある。又は、電源コードにつまずくと、コード付き削り器が突然停電にされてしまうことになる。
【０００６】
まして、コード付き削り器の電源コードは、給電用途以外の使い道がない。
【考案の概要】
【考案が解決しようとする課題】
【０００７】
本考案の主な目的は、充電スタンドで削り器内の充電電池に対する充電を直接に行うことで、削り器をコードレスとすることができ、使用者が削り器を使用する際に、電源コードに邪魔されずスムーズに使用可能で、人の足が電源コードにつまずくことやつまずくことによる停電などの問題がなくなるとともに、ネイルアートの施術効率を高めることができるうえ、デスクの使用スペースを節約することができる充電式ネイルアート用削り装置を提供することである。
【０００８】
本考案の他の目的は、充電スタンドは削り器に対する充電及び削り器の傾斜装着用の他に、削り器以外の電子機器に対する同時給電及び削り部材の傾斜装着用などの機能がある充電式ネイルアート用削り装置を提供することである。
【課題を解決するための手段】
【０００９】
上記目的を達成するため、本考案は、充電スタンドと削り器とを備える充電式ネイルアート用削り装置を提供することとする。
【００１０】
充電スタンドは、ベースと給電部と支持部とを有し、給電部は、ベースに設けられるとともに正極充電端子と負極充電端子と第一電源入力ポートと第一制御ユニットとを有し、第一電源入力ポートは外部電源に電気的に接続されるためのものであり、第一制御ユニットは、正極充電端子、負極充電端子、及び第一電源入力ポートに電気的に接続され、支持部はベースに設けられるとともに給電部と間隔をあけており、支持部の高さは給電部の高さより高い。
【００１１】
削り器は、ハウジングと削り部材取付手段と駆動部材と少なくとも一つの充電電池と正極接触用板バネと負極接触用板バネと第二制御ユニットとを有し、削り部材取付手段は、ハウジングの頂部に設けられるとともに当該手段に削り部材が取り付けられるためのものであり、駆動部材はハウジングの内部に設けられるとともに削り部材を回転駆動させるためのものであり、前記少なくとも一つの充電電池はハウジングの内部に設けられ、第二制御ユニットは、ハウジングの内部に設けられるとともに駆動部材、前記少なくとも一つの充電電池、正極接触用板バネ、及び負極接触用板バネに電気的に接続される。
【００１２】
削り器は、給電部及び支持部に当接されつつ傾斜するようにしており、正極接触用板バネは正極充電端子に接触されながら、負極接触用板バネは負極充電端子に接触されることで、第一電源入力ポート、第一制御ユニット、第二制御ユニット、及び前記少なくとも一つの充電電池は回路を形成する。
【００１３】
好ましくは、給電部の頂部には凹溝があり、凹溝は前側斜面と後側斜面とを有し、正極充電端子と負極充電端子はともに前側斜面に設けられており、削り器は台座を有し、台座はハウジングの底部に設けられ、正極接触用板バネと負極接触用板バネはともに台座の底部に設けられており、ハウジングは後側斜面に当接され、台座の底部は前側斜面に当接される。
【００１４】
好ましくは、前側斜面には第一係止部があり、台座の底部には第二係止部があり、第一係止部は第二係止部に嵌合される。
【００１５】
好ましくは、第一係止部と第二係止部のうちの一方は嵌合溝であり、他方は凸型ブロックである。
【００１６】
好ましくは、第一係止部と第二係止部はともに弧形である。
【００１７】
好ましくは、前側斜面には位置決め溝が凹設され、位置決め溝の形状及び寸法はそれぞれ台座の形状及び寸法に対応しており、正極充電端子、負極充電端子、及び第一係止部はともに位置決め溝内に設けられる。
【００１８】
好ましくは、支持部には傾斜溝が凹設され、傾斜溝と後側斜面は同一の方向に傾斜しており、傾斜溝の傾斜度合いは後側斜面の傾斜度合いと同一であり、ハウジングは傾斜溝に当接される。
【００１９】
好ましくは、削り器は第二電源入力ポートを有し、第二電源入力ポートは、台座の底部に設けられており、第二制御ユニットに電気的に接続されるとともに外部電源に電気的に接続されるためのものである。
【００２０】
好ましくは、支持部の両側にはそれぞれ複数の削り部材挿入溝が開設され、各削り部材挿入溝は削り部材が挿設されるためのものである。
【００２１】
好ましくは、給電部は少なくとも一つの電源出力ポートを有し、前記少なくとも一つの電源出力ポートは電子機器に電気的に接続されるためのものであり、第一制御ユニットは前記少なくとも一つの電源出力ポートに電気的に接続される。
【考案の効果】
【００２２】
本考案は、充電スタンドで削り器内の充電電池に対する充電を直接に行うため、削り器がコードレスとされてもよく、使用者が削り器を使用する際に、電源コードに邪魔されずスムーズに使用可能で、人の足が電源コードにつまずくことやつまずくことによる停電などの問題がなくなるとともに、ネイルアートの施術効率を高めることができるうえ、デスクの使用スペースを節約することができるという効果を奏する。
【００２３】
また、充電スタンドは、削り器に対する充電及び削り器の傾斜装着用の他に、削り器以外の電子機器に対する同時給電及び削り部材の傾斜装着用などの機能がある。
【００２４】
更に、削り器が給電部及び支持部に当接されつつ傾斜する際に、第一係止部及び第二係止部の組合せは、削り器の台座に対して好適な滑り止め固定効果と逆装着防止効果を奏する。
【図面の簡単な説明】
【００２５】
【図１】本考案の充電式ネイルアート用削り装置の斜視図である。
【図２】本考案の充電式ネイルアート用削り装置の分解図である。
【図３】本考案の充電式ネイルアート用削り装置の断面図である。
【図４】本考案の充電スタンドの立体透視図である。
【図５】本考案の充電スタンドの正面図である。
【図６】本考案の充電スタンドの平面図である。
【図７】本考案の削り器の分解図である。
【図８】本考案の削り器の正面図である。
【図９】本考案の削り器の平面図である。
【図１０】本考案の削り器の底面図である。
【図１１】本考案の充電スタンドが削り器に対する充電を行う状態を示す図である。
【図１２】本考案の充電スタンドがＵＳＢ卓上スタンドライトに給電する状態を示す図である。
【図１３】本考案の削り器が電源コードを介して直接に充電される状態を示す図である。
【考案を実施するための形態】
【００２６】
以下、図面と符号を参照しながら、本考案の好適な実施例について、当業者が明細書に照らして理解し実施できるよう詳しく説明する。
【００２７】
図１〜図３を参照されたい。図１は本考案の充電式ネイルアート用削り装置の斜視図であり、図２は本考案の充電式ネイルアート用削り装置の分解図であり、図３は本考案の充電式ネイルアート用削り装置の断面図である。本考案は、充電スタンド１０と削り器２０とを備える充電式ネイルアート用削り装置を提供することとする。
【００２８】
図４〜図６を参照されたい。図４は本考案の充電スタンド１０の立体透視図であり、図５は本考案の充電スタンド１０の正面図であり、図６は本考案の充電スタンド１０の平面図である。充電スタンド１０は、ベース１１と給電部１２と支持部１３とを有する。給電部１２は、ベース１１に設けられるとともに、正極充電端子１２１と負極充電端子１２２と第一電源入力ポート１２３と第一制御ユニットと１２４とを有する。第一電源入力ポート１２３は外部電源に電気的に接続されるためのものである（図１１を参照）。第一制御ユニット１２４は、正極充電端子１２１、負極充電端子１２２、及び第一電源入力ポート１２３に電気的に接続される。支持部１３は、ベース１１に設けられるとともに給電部１２と間隔をあけており、支持部１３の高さは給電部１２の高さより高い。より詳しく説明すると、給電部１２はベース１１の前側に設けられるとともに上に向けて突起しており、支持部１３はベース１１の後側に設けられるとともに上に向けて突起している。このようにして、支持部１３の、ベース１１に対する突起の高さは、給電部１２の、ベース１１に対する突起の高さより高い。
【００２９】
図７〜図１０を参照されたい。図７は本考案の削り器２０の分解図であり、図８は本考案の削り器２０の正面図であり、図９は本考案の削り器２０の平面図であり、図１０は本考案の削り器２０の底面図である。削り器２０は、ハウジング２１と、削り部材取付手段２２と、駆動部材２３と、少なくとも一つの充電電池２４と、台座２５と、正極接触用板バネ２６と、負極接触用板バネ２７と、第二制御ユニットと２８とを有する。削り部材取付手段２２は、ハウジング２１の頂部に設けられるとともに、当該手段に削り部材３０が取り付けられるためのものである。駆動部材２３はハウジング２１の内部に設けられるとともに削り部材３０を回転駆動させるためのものである。少なくとも一つの充電電池２４はハウジング２１の内部に設けられる。台座２５はハウジング２１の底部に設けられる。第二制御ユニット２８は、ハウジング２１の内部に設けられるとともに駆動部材２３、少なくとも一つの充電電池２４、正極接触用板バネ２６、及び負極接触用板バネ２７に電気的に接続される。
【００３０】
駆動部材２３はモータであり、ハウジング２１の外側面には長溝２１１が開設される。回転方向切替スイッチ２１２は、長溝２１１内に摺接されるとともに第二制御ユニット２８に電気的に接続され、駆動部材２３の回転を正転か逆転かに切り替えるためのものである。ハウジング２１の外側面における長溝２１１の上には正転表示文字２１３があり、ハウジング２１の外側面における長溝２１１の下には逆転表示文字２１４がある。本考案の好ましい実施例において、正転表示文字２１３は英語大文字の「Ｆ」であり、逆転表示文字２１４は英語大文字「Ｒ」である。ハウジング２１の外側面における逆転表示文字２１４の下には複数の電池残量表示窓２１５が設けられ、ハウジング２１の内側面には複数の電池残量表示ランプ（図示せず）が設けられる。これらの電池残量表示ランプの位置はそれぞれ前記複数の電池残量表示窓２１５の位置に対応している。また、これらの電池残量表示ランプは第二制御ユニット２８に電気的に接続される。
【００３１】
図３と図７の示すように、削り部材取付手段２２は、クイック着脱モジュール２２１と、固定モジュール２２２と、少なくとも一つの照明ユニット２２３とを有する。クイック着脱モジュール２２１は、締結部材２２１１とクイック締結外し部材２２１２とを有し、締結部材２２１１は、ハウジング２１の頂部に設けられる円錐形のものであり、外側面に複数の縦方向凹溝２２１１１が周設される。クイック締結外し部材２２１２は、締結部材２２１１の内部に設けられ、天面にシャフト２２１２１が突出され、底面に挿通孔２２１２２が凹設される。シャフト２２１２１には軸孔２２１２３が開設される。固定モジュール２２２は、差込ナット２２２１とクランプヘッド２２２２とを有する。差込ナット２２２１は、締結部材２２１１の頂部に設けられるとともに、天面に貫通孔２２２１１が開設される。クランプヘッド２２２２は、シャフト２２１２１の軸孔２２１２３に挿設されるとともに、挟持部２２２２１を有する。少なくとも一つの照明ユニット２２３は、差込ナット２２２１の天面に設けられるとともに、第二制御ユニット２８に電気的に接続される。駆動部材２３は駆動軸２３１を有し、駆動軸２３１はクイック締結外し部材２２１２の挿通孔２２１２２内に挿設される。本考案の好ましい実施例において、差込ナット２２２１は略三角柱状に呈しており、３つの角はともに角丸にされている。削り部材取付手段２２は３つの照明ユニット２２３を有し、前記３つの照明ユニット２２３はそれぞれ差込ナット２２２１の３つの隅の天面に設けられる。
【００３２】
取り付けの方法として、充電電池２４は着脱不可の内蔵電池でもよく、着脱可能の電池でもよい。充電可能の化学材質として、充電電池２４はニッケル水素電池、リチウム電池、又は他の充電可能の化学材質からなる電池でもよい。また、充電電池２４の数はハウジング２１の内部容積によって決まってもよく、最低に少なくとも１個が要る。
【００３３】
台座２５の外側面には回転スピード調節つまみ２５１が設けられ、回転スピード調節つまみ２５１は第二制御ユニット２８に電気的に接続される。台座２５の外側面における回転スピード調節つまみ２５１の上にはオンオフ表示窓２５２があり、台座２５の内側面にはオンオフ表示ランプが設けられる（図示せず）。オンオフ表示ランプの位置はオンオフ表示窓２５２の位置に対応しており、オンオフ表示ランプは第二制御ユニット２８に電気的に接続される。台座２５の外側面におけるオンオフ表示窓２５２の近傍には回転スピード表示部２５３が設けられ、回転スピード表示部２５３は駆動軸２３１の回転スピードを表示するためのものである。
【００３４】
以下では、図面を用いて本考案の充電式ネイルアート用削り装置の使用方法を説明する。
【００３５】
まず、削り器２０を充電スタンド１０から取り出しつつ削り部材３０を抓んで、削り部材３０を差込ナット２２２１の貫通孔２２２１１を挿入させてクランプヘッド２２２２の挟持部２２２２１内に固定させる。次に、締結部材２２１１を回して、クイック締結外し部材２２１２により削り部材３０をクランプヘッド２２２２に固定させる。そして、回転スピード調節つまみ２５１を回して、第二制御ユニット２８により駆動部材２３の駆動軸２３１の回転、オンオフ表示ランプ、及び前記複数の照明ユニット２２３を起動させる。すると、使用者はオンオフ表示窓２５２によりオンオフ表示ランプが点灯されるのを目視することができ、駆動部材２３が起動されたことを知る。駆動部材２３の駆動軸２３１がクイック締結外し部材２２１２とクランプヘッド２２２２を同時に回転させるように駆動することで、削り部材３０は回転し始める。使用者は、回転スピード調節つまみ２５１を回すことで駆動軸２３１の回転スピードを調節することができるとともに、回転スピード表示部２５３により駆動軸２３１の回転スピードを知ることができる。このとき、使用者は削り器２０を把持して、削り部材３０を手又は足の爪に合わせて、手又は足の爪に付ける硬化後のジェルを削りつつ仕上げたり外したりすることができる。削りの過程において、前記複数の照明ユニット２２３が十分な照明光線を提供することで、使用者は手又は足の爪に付ける硬化後のジェルをはっきり目視することができる。
【００３６】
使用の過程において、使用者が削り部材３０を正転させたい場合、正転表示文字２１３の表示に従って、回転方向切替スイッチ２１２を上に向けて長溝２１１の頂部まで移動させなければならない。すると、第二制御ユニット２８が駆動軸２３１を正転するように制御し、駆動軸２３１がクイック締結外し部材２２１２とクランプヘッド２２２２を同時に正転させるように駆動することで、削り部材３０は同時に正転する。一方、使用者が削り部材３０を逆転させたい場合、逆転表示文字２１４の表示に従って、回転方向切替スイッチ２１２を下に向けて長溝２１１の底部まで移動させなければならない。すると、第二制御ユニット２８が駆動軸２３１を逆転するように制御し、駆動軸２３１がクイック締結外し部材２２１２とクランプヘッド２２２２を同時に逆転させるように駆動することで、削り部材３０は同時に逆転する。
【００３７】
使用者は、前記複数の電池残量表示窓２１５により前記複数の電池残量表示ランプの点灯又は消灯を目視することができる。充電電池２４の電池残量が十分な場合、４つの電池残量表示ランプは全て点灯される。削り器２０の使用し続けるに伴い、充電電池２４の電池残量は徐々に減っていき、前記複数の電池残量表示ランプは１個ずつ順番に消灯される。
【００３８】
充電電池２４の電池残量が完全に使い切った後、駆動軸２３１が回転を停止し、クイック締結外し部材２２１２とクランプヘッド２２２２が同時に回転を停止することで、削り部材３０は同時に回転を停止する。すると、オンオフ表示ランプと前記複数の照明ユニット２２３は全て消灯される。又は、使用者が回転スピード調節つまみ２５１を回すことで、第二制御ユニット２８は駆動部材２３の駆動軸２３１の回転を停止するように制御し、オンオフ表示ランプと前記複数の照明ユニット２２３は全て消灯される。
【００３９】
図１〜図３の示すように、削り器２０の使用前又は後、使用者は削り器２０を充電スタンド１０にセットしてもよい。すると、削り器２０は、給電部１２及び支持部１３に当接されつつ傾斜するようにしており、正極接触用板バネ２６は正極充電端子１２１に接触されながら、負極接触用板バネ２７は負極充電端子１２２に接触されることで、第一電源入力ポート１２３、第一制御ユニット１２４、第二制御ユニット２８、及び少なくとも一つの充電電池２４は回路を形成する。
【００４０】
図１１を参照されたい。図１１は本考案の充電スタンド１０が削り器２０に対する充電を行う状態を示す図である。少なくとも一つの充電電池２４の電池残量がフル充電せず満タンではない場合、使用者は、電源コード４０の一方のプラグ４１を第一電源入力ポート１２３に差し込みながら、電源コード４０の他方のプラグ（図示せず）を差込口（図示せず）に差し込むことで、外部電源（図示せず）に接続することができる。外部電源による電力は前記回路を介して少なくとも一つの充電電池２４に対する充電を行う。充電時間の経過に伴い、充電電池２４の電池残量が徐々に回復していき、前記複数の電池残量表示ランプは１個ずつ順番に点灯される。使用者は、前記複数の電池残量表示ランプの点灯数により少なくとも一つの充電電池２４の充電量の増加傾向を知ることができる。少なくとも一つの充電電池２４の電池残量がフル充電になると、前記複数の電池残量表示ランプは全て点灯される。
【００４１】
外部電源は家庭用電源又はモバイルバッテリでもよく、電源コード４０のプラグ４１はｍｉｃｒｏ ＵＳＢ ５Ｖの入力プラグであり、第一電源入力ポート１２３はｍｉｃｒｏ ＵＳＢ ５Ｖの入力差込口である。しかしながら、これらに限らず、何れの常用電源を当該外部電源とされてもよく、電源コード４０のプラグ４１と第一電源入力ポート１２３は他の常用入力プラグと入力ポートでもよく、入力電圧源は他の電圧源でもよい。
【００４２】
更に説明すると、図４、図５、及び図６の示すように、給電部１２の頂部には凹溝１２５があり、凹溝１２５は前側斜面１２５１と後側斜面１２５２とを有し、正極充電端子１２１と負極充電端子１２２はともに前側斜面１２５１に設けられている。図３と図１０の示すように、正極接触用板バネ２６と負極接触用板バネ２７はともに台座２５の底部に設けられている。図１、図３、及び図１１の示すように、ハウジング２１は後側斜面１２５２に当接され、台座２５の底部は前側斜面１２５１に当接される。
【００４３】
図３と図６の示すように、前側斜面１２５１には第一係止部１２５１１がある。図２、図３、図８、及び図１０の示すように、台座２５の底部には第二係止部２５４がある。図３の示すように、第一係止部１２５１１が第二係止部２５４に嵌合されることで、滑り止め固定効果と逆装着防止効果を奏する。滑り止め固定効果とは、削り器２０の台座２５が前側斜面１２５１に安定に位置決められるとともに前側斜面１２５１で摺動及び回転しないことにより、正極接触用板バネ２６が正極充電端子１２１との接触維持、及び負極接触用板バネ２７が負極充電端子１２２との接触維持を確保することである。逆装着防止効果とは、正極接触用板バネ２６が負極充電端子１２２との接触、及び負極接触用板バネ２７が正極充電端子１２１との接触を防止することである。
【００４４】
本考案の好ましい実施例において、図３と図６の示すように、第一係止部１２５１１は嵌合溝であり、図２、図３、図８、及び図１０の示すように、第二係止部２５４は凸型ブロックである。他の実施例において、第一係止部１２５１１は凸型ブロックでもよく、第二係止部２５４は嵌合溝でもよい。好ましくは、第一係止部１２５１１と第二係止部２５４はともに弧形である。しかしながら、これらに限らず、第一係止部１２５１１と第二係止部２５４は他の幾何学的形状でもよい。
【００４５】
本考案の好ましい実施例において、図６の示すように、前側斜面１２５１には位置決め溝１２５１２が凹設され、位置決め溝１２５１２の形状及び寸法はそれぞれ台座２５の形状及び寸法に対応しており、正極充電端子１２１、負極充電端子１２２、及び第一係止部１２５１１はともに位置決め溝１２５１２に設けられる。よって、削り器２０の台座２５は前側斜面１２５１に安定に位置決められるとともに、前側斜面１２５１で摺動することがない。
【００４６】
本考案の好ましい実施例において、図１〜図６の示すように、支持部１３には傾斜溝１３１が凹設され、傾斜溝１３１と後側斜面１２５２は同一の方向に傾斜しており、傾斜溝１３１の傾斜度合いは後側斜面１２５２の傾斜度合いと同一であり、ハウジング２１は傾斜溝１３１に当接される。これにより、削り器２０は固定角度で給電部１２及び支持部１３に傾斜するように当接され、より摺動しにくくなる。
【００４７】
好ましくは、後側斜面１２５２は上斜面１２５２１を有する。上斜面１２５２１の溝壁の形状及び寸法は、ハウジング２１の下端２１０１の形状及び寸法に対応している。傾斜溝１３１の溝壁の形状及び寸法は、ハウジング２１の上端２１０２の形状及び寸法に対応している。よって、上斜面１２５２１と傾斜溝１３１はともに削り器２０のハウジング２１に対してより優れた位置決め効果を奏する。
【００４８】
好ましくは、図３の示すように、後側斜面１２５２は下斜面１２５２２を有し、下斜面１２５２２は上斜面１２５２１と前側斜面１２５１との間に位置される。下斜面１２５２２は、上斜面１２５２１に対して内側に向けて陥没しており、上斜面１２５２１との間に段差が形成される。この段差は、回転スピード調節つまみ２５１が台座２５の外側面に突出される距離より大きい又は同一である。よって、下斜面１２５２２の上には回転スピード調節つまみ２５１を収納する十分なスペースが形成される。
【００４９】
本考案の好ましい実施例において、図４、図５、及び図１２の示すように、給電部１２は少なくとも一つの電源出力ポート１２６を有し、少なくとも一つの電源出力ポート１２６は電子機器５０に電気的に接続されるためのものであり、第一制御ユニット１２４は少なくとも一つの電源出力ポート１２６に電気的に接続される。より詳しく説明すると、電子機器５０の電源コード５１の一方のプラグ５１１は少なくとも一つの電源出力ポート１２６に差し込まれる。よって、給電部１２は削り器２０以外の電子機器５０に給電可能となる。
【００５０】
少なくとも一つの電源出力ポート１２６はＵＳＢ ５Ｖの出力差込口であり、電源コード５１の一方のプラグ５１１はＵＳＢ ５Ｖの出力プラグである。しかしながら、これらに限らず、少なくとも一つの電源出力ポート１２６と電源コード５１のプラグ５１１は他の常用入力ポートと入力プラグでもよく、入力電圧源は他の電圧源でもよい。
【００５１】
電子機器５０はＵＳＢ卓上スタンドライト（図１２の示すように）、ＵＳＢ削り器、ＵＳＢハブ、ＵＳＢ空気清浄機、スマホ、又はタブレットのＵＳＢ充電機器などの関連製品でもよい。このようにして、削り器２０を使用しながら、少なくとも一つの電源出力ポート１２６を介して電子機器５０に給電可能となり、本考案の利便性と実用性を大きく高める。なお、電源出力ポート１２６の数が多ければ多いほど、充電スタンド１０はより多い電子機器５０に同時に給電可能となる。
【００５２】
本考案の好ましい実施例において、図１〜図６の示すように、支持部１３の両側にはそれぞれ複数の削り部材挿入溝１３２が開設され、各削り部材挿入溝１３２は削り部材３０が挿設されるためのものである。好ましくは、図４の示すように、各削り部材挿入溝１３２は内側に向けて下に延伸し傾斜溝状を呈しており、削り部材３０は各削り部材挿入溝１３２に傾斜するように挿設される。このようにして、削り部材３０は各削り部材挿入溝１３２内に安定に挿設され、削り部材挿入溝１３２から外すことがないうえ、使用者は削り部材３０を各削り部材挿入溝１３２から取り出しやすくなる。
【００５３】
図１０と図１３の示すように、削り器２０は第二電源入力ポート２９を有し、第二電源入力ポート２９は台座２５の底部に設けられており、第二制御ユニット２８に電気的に接続されるとともに外部電源（図示せず）に電気的に接続されるためのものである。言い換えると、使用者は、電源コード４０Ａの一方のプラグ４１Ａを第二電源入力ポート２９に差し込みながら、電源コード４０Ａの他方のプラグ（図示せず）を差込口（図示せず）に差し込むことで、外部電源に接続することができる。外部電源による電力は第二制御ユニット２８を介して少なくとも一つの充電電池２４に対する充電を直接に行うため、充電スタンド１０を介する充電は必要でなくなる。
【００５４】
外部電源は家庭用電源又はモバイルバッテリでもよく、電源コード４０Ａのプラグ４１Ａはｍｉｃｒｏ ＵＳＢ ５Ｖの入力プラグであり、第二電源入力ポート２９はｍｉｃｒｏ ＵＳＢ ５Ｖの入力差込口である。しかしながら、これらに限らず、何れの常用電源を当該外部電源とされてもよく、電源コード４０Ａのプラグ４１Ａと第二電源入力ポート２９は他の常用入力プラグと入力ポートでもよく、入力電圧源は他の電圧源でもよい。
【００５５】
以上をまとめると、本考案は、充電スタンド１０で削り器２０内の充電電池２４に対する充電を直接に行うため、削り器２０がコードレスとされてもよく、使用者が削り器２０を使用する際に、電源コードに邪魔されずスムーズに使用可能で、人の足が電源コードにつまずくことやつまずくことによる停電などの問題がなくなるとともに、ネイルアートの施術効率を高めることができるうえ、デスクの使用スペースを節約することができる。
【００５６】
また、充電スタンド１０は、削り器２０に対する充電及び削り器２０の傾斜装着用の他に、削り器以外２０の電子機器５０に対する同時給電及び削り部材３０の傾斜装着用などの機能がある。
【００５７】
更に、削り器２０が給電部１２及び支持部１３に当接されつつ傾斜する際に、第一係止部１２５１１及び第二係止部２５４の組合せは、削り器２０の台座２５に対して好適な滑り止め固定効果と逆装着防止効果を奏する。
【００５８】
なお、第一係止部１２５１１及び第二係止部２５４の組合せは、前側斜面１２５１の位置決め溝１２５１２、並びに後側斜面１２５２及び支持部１３の傾斜溝１３１の傾斜度合い、並びに上斜面１２５２１及び傾斜溝１３１の、形状及び寸法がそれぞれ削り器２０のハウジング２１の下端２１０１及び上端２１０２の、形状及び寸法に対応することなどの特徴により、削り器２０のハウジング２１に対してより優れた全体的滑り止め固定効果と逆装着防止効果を奏する。
【００５９】
上記内容は本考案の好適な実施例を説明するものに過ぎず、本考案を形式的制限するものではないため、同一の考案精神の前提において、本考案に関する何れの種々の改良や変更は本考案の登録請求の範囲に含まれるべきである。
【符号の説明】
【００６０】
１０    充電スタンド
１１    ベース
１２     給電部
１２１     正極充電端子
１２２     負極充電端子 
１２３     第一電源入力ポート    
１２４     第一制御ユニット      
１２５     凹溝      
１２５１  前側斜面      
１２５１１  第一係止部     
１２５１２  位置決め溝     
１２５２  後側斜面      
１２５２１  上斜面        
１２５２２  下斜面        
１２６     電源出力ポート    
１３      支持部        
１３１     傾斜溝        
１３２     削り部材挿入溝    
２２１１  締結部材
２２１１１  縦方向凹溝
２２１２  クイック締結外し部材
２２１２１  シャフト
２２１２２    挿通孔
２２１２３  軸孔
２２２     固定モジュール
２２２１  差込ナット
２２２１１  貫通孔
２２２２  クランプヘッド
２２２２１  挟持部
２２３     照明ユニット
２３      駆動部材
２３１     駆動軸
２４      充電電池
２０      削り器        
２１      ハウジング     
２１０１  下端      
２１０２  上端      
２１１     長溝      
２１２     回転方向切替スイッチ   
２１３     正転表示文字     
２１４     逆転表示文字     
２１５     電池残量表示窓    
２２      削り部材取付手段      
２２１     クイック着脱モジュール
２５      台座
２５１     回転スピード調節つまみ
２５２     オンオフ表示窓
２５３     回転スピード表示部
２５４     第二係止部
２６      正極接触用板バネ
２７      負極接触用板バネ
２８      第二制御ユニット
２９      第二電源入力ポート
３０      削り部材
４０、４０Ａ  電源コード
４１、４１Ａ  プラグ
５０      電子機器
５１      電源コード
５１１     プラグ
【図１】
0003223575.tif 000003
【図２】
0003223575.tif 000004
【図３】
0003223575.tif 000005
【図４】
0003223575.tif 000006
【図５】
0003223575.tif 000007
【図６】
0003223575.tif 000008
【図７】
0003223575.tif 000009
【図８】
0003223575.tif 000010
【図９】
0003223575.tif 000011
【図１０】
0003223575.tif 000012
【図１１】
0003223575.tif 000013
【図１２】
0003223575.tif 000014
【図１３】
0003223575.tif 000015